(57)【特許請求の範囲】
【請求項１】
鍵盤部が内部に設けられた楽器ケースと、
この楽器ケースにスライド可能に設けられて前記鍵盤部を開閉自在に覆う複数の蓋部からなる鍵盤蓋と、
この鍵盤蓋における前記複数の蓋部の各後部から前記楽器ケース内の後部に向けてそれぞれ延出され、前記複数の蓋部の開閉動作に応じてそれぞれ屈曲自在に移動する複数のラックギアと、
前記楽器ケース内の後部にそれぞれ回転自在に設けられて前記複数のラックギアにそれぞれ噛み合って回転する複数のピニオンギアと、を備え、
前記複数のラックギアを前記複数の蓋部の開閉動作に応じてそれぞれガイドすると共に、前記複数のピニオンギアにそれぞれ押し付けて噛み合わせる複数のギアガイド部を備えていることを特徴とする鍵盤楽器の蓋開閉装置。
【請求項２】
前記楽器ケース内にそれぞれ設けられて前記複数の蓋部を開閉動作に応じてそれぞれガイドし、前記鍵盤蓋を閉じた際に前記複数の蓋部を前記鍵盤部の上方に平面的に配置させ、前記鍵盤蓋を開いた際に前記複数の蓋部を上下に重ねて楽器ケース内に収納するための複数の蓋ガイド部を備えていることを特徴とする請求項１に記載の鍵盤楽器の蓋開閉装置。
【請求項３】
前記複数のピニオンギアは、その各直径が前記複数の蓋部の各移動距離に応じてそれぞれ異なっていることを特徴とする請求項１または請求項２に記載の鍵盤楽器の蓋開閉装置。
【請求項４】
前記複数のピニオンギアは、全て一体的に連動して回転することを特徴とする請求項１〜請求項３のいずれかに記載の鍵盤楽器の蓋開閉装置。
【発明の詳細な説明】
【技術分野】
【０００１】
この発明は、電子ピアノなどの鍵盤楽器の蓋開閉装置に関する。
【背景技術】
【０００２】
従来、電子ピアノなどの鍵盤楽器の蓋開閉装置として、特許文献１に記載されているように、鍵盤部が内部に設けられた楽器ケースに、その鍵盤部を開閉自在に覆う鍵盤蓋をスライド可能に設けた構成のものが知られている。
【先行技術文献】
【特許文献】
【０００３】
【特許文献１】特開平０８−２７２３５４号公報
【０００４】
この種の蓋開閉装置は、鍵盤蓋を前蓋と後蓋とに分割し、前蓋と後蓋とをシャフトで相対的に移動可能に連結し、前蓋の前部を前側ガイド部でガイドすると共に、後蓋を後側ガイド部でガイドするように構成されている。この場合、前蓋と後蓋とを連結するシャフトは、前蓋の後端部に設けられている。後蓋は、シャフトによって前蓋に対して移動可能に連結された状態で、前蓋の下側を相対的に移動するように構成されている。
【０００５】
また、シャフトには、楽器ケース内にその中間から後部に亘って設けられた後側ガイド部である第１ラックギアに噛み合って転動する第１ピニオンギアと、後蓋にその前部から後部に亘って設けられた第２ラックギアに噛み合って転動する第２ピニオンギアとが設けられている。この場合、第２ピニオンギアは、第１ピニオンギアの１／２のピッチ円直径比に形成されている。このため、第２ピニオンギアは、前蓋が移動する際に、前蓋の１／２の移動量で後蓋を追従させるように構成されている。
【０００６】
このような蓋開閉装置では、鍵盤蓋を閉じた状態から開く際に、前蓋の前部を持ち上げながら後方に向けて移動させると、前蓋の前部が前側ガイド部によってガイドされながら前蓋が後方に移動すると共に、この前蓋の移動に伴ってシャフトが後方に向けて移動する。このときには、第１ピニオンギアが楽器ケースの第１ラックギアに噛み合って転動すると共に、第２ピニオンギアが後蓋の第２ラックギアに噛み合って転動する。このため、後蓋は、前蓋の１／２の移動量で前蓋に追従する。これにより、鍵盤蓋は、前蓋が鍵盤部の後方における楽器ケース内に収納されると共に、この前蓋の下側に後蓋が重なった状態で収納される。
【発明の概要】
【発明が解決しようとする課題】
【０００７】
しかしながら、このような従来の鍵盤楽器の蓋開閉装置では、鍵盤蓋を開閉する際に、前蓋の移動に伴ってシャフトが楽器ケース内を移動するため、楽器ケース内におけるシャフトの移動範囲がデッドスペースとなり、スピーカなどの他の部品を十分に実装することができないという問題がある。
【０００８】
この発明が解決しようとする課題は、楽器ケース内の空間を広く利用して実装密度を高めることができる鍵盤楽器の蓋開閉装置を提供することである。
【課題を解決するための手段】
【０００９】
本発明は、上記課題を解決するために、次のような構成要素を備えている。
請求項１に記載の発明は、鍵盤部が内部に設けられた楽器ケースと、この楽器ケースにスライド可能に設けられて前記鍵盤部を開閉自在に覆う複数の蓋部からなる鍵盤蓋と、この鍵盤蓋における前記複数の蓋部の各後部から前記楽器ケース内の後部に向けてそれぞれ延出され、前記複数の蓋部の開閉動作に応じてそれぞれ屈曲自在に移動する複数のラックギアと、前記楽器ケース内の後部にそれぞれ回転自在に設けられて前記複数のラックギアにそれぞれ噛み合って回転する複数のピニオンギアと、を備え、前記複数のラックギアを前記複数の蓋部の開閉動作に応じてそれぞれガイドすると共に、前記複数のピニオンギアにそれぞれ押し付けて噛み合わせる複数のギアガイド部を備えていることを特徴とする鍵盤楽器の蓋開閉装置である。
【００１０】
請求項２に記載の発明は、前記楽器ケース内にそれぞれ設けられて前記複数の蓋部を開閉動作に応じてそれぞれガイドし、前記鍵盤蓋を閉じた際に前記複数の蓋部を前記鍵盤部の上方に平面的に配置させ、前記鍵盤蓋を開いた際に前記複数の蓋部を上下に重ねて楽器ケース内に収納するための複数の蓋ガイド部を備えていることを特徴とする請求項１に記載の鍵盤楽器の蓋開閉装置である。
【００１２】
請求項３に記載の発明は、前記複数のピニオンギアは、その各直径が前記複数の蓋部の各移動距離に応じてそれぞれ異なっていることを特徴とする請求項１または請求項２に記載の鍵盤楽器の蓋開閉装置である。
【００１３】
請求項４に記載の発明は、前記複数のピニオンギアは、全て一体的に連動して回転することを特徴とする請求項１〜請求項３のいずれかに記載の鍵盤楽器の蓋開閉装置である。
【発明の効果】
【００１４】
この発明によれば、複数の蓋部をそれぞれスライドさせて鍵盤蓋を開閉する際に、複数の蓋部の各スライド動作に伴って複数のラックギアが屈曲しながら複数のピニオンギアにそれぞれ噛み合って移動するため、複数のピニオンギアが楽器ケース内を移動することがなく、複数のラックギアが複数のピニオンギアに噛み合って移動し、複数の蓋部を円滑に且つ良好に開閉させることができる。
【００１５】
このため、複数のピニオンギアおよびこの複数のピニオンギアを回転自在に支持するシャフトを楽器ケース内に設けても、複数のピニオンギアおよびシャフトが楽器ケース内を移動しないため、楽器ケース内の空間を広く利用することができ、スピーカなどの他の部品を組み込むことができるので、楽器ケース内を有効に利用して楽器ケース内の実装密度を高めることができる。
【図面の簡単な説明】
【００１６】
【図１】この発明を適用した鍵盤楽器の一実施形態において鍵盤蓋を閉じた状態を示した断面図である。
【図２】図１の鍵盤楽器において鍵盤蓋を開く途中の状態を示した断面図である。
【図３】図１の鍵盤楽器において鍵盤蓋を開いて楽器ケース内に収納した状態を示した断面図である。
【図４】図１の鍵盤楽器における鍵盤蓋、第１、第２の各ラックギア、および第１、第２の各ピニオンギアを示した平面図である。
【図５】図４の鍵盤蓋における前蓋と後蓋との各断面を示し、（ａ）は図４のＡ−Ａ矢視における前蓋と第１のラックギアとを示した断面図、（ｂ）は図４のＢ−Ｂ矢視における後蓋と第２のラックギアとを示した断面図である。
【図６】図２の鍵盤楽器における前側蓋ガイド部と後側蓋ガイド部との各断面を示し、（ａ）は図２のＣ−Ｃ矢視における前側蓋ガイド部の要部を示した拡大断面図、（ｂ）は図２のＤ−Ｄ矢視における後側蓋ガイド部の要部を示した拡大断面図である。
【図７】図２のＥ−Ｅ矢視における第１、第２の各ピニオンギアを示した拡大断面図である。
【図８】図１の鍵盤楽器における第１、第２の各ピニオンギアと第１、第２の各ラックギアとの噛み合い状態を示し、（ａ）は第１のピニオンギアと第１のラックギアとの噛み合い状態を示した要部の拡大断面図、（ｂ）は第２のピニオンギアと第２のラックギアとの噛み合い状態を示した要部の拡大断面図である。
【発明を実施するための形態】
【００１７】
以下、図１〜図８を参照して、この発明を鍵盤楽器に適用した一実施形態について説明する。
この鍵盤楽器は、図１〜図３に示すように、ほぼ箱形状に形成された楽器ケース１を備えている。この楽器ケース１は、底板２を備えている。この底板２の前端部（図１では左端部）には、前板３が起立して設けられており、この底板２の後端部（図１では右端部）には、後板４が前板３よりも高く起立して設けられている。
【００１８】
また、この底板２の両端部（図１では紙面の表裏側の端部）には、図１〜図３に示すように、一対の側板５が起立して設けられている。この一対の側板５は、その前後方向（図１では左右方向）における中間部よりも後側に位置する後部が後板４と同じ高さに形成され、中間部よりも前側に位置する前部が前側に向けて傾斜し、この傾斜した前端部が前板３とほぼ同じ高さに形成されている。また、この一対の側板５の後部および後板４の各上部には、天板６が設けられている。これにより、楽器ケース１は、天板６の前側が上方に開放されたほぼ箱形状に形成されている。
【００１９】
この楽器ケース１内には、図１〜図３に示すように、鍵盤部７が設けられている。鍵盤部７は、楽器ケース１内の底板２における前部側（図１では左側）に配置された鍵盤シャーシ８と、この鍵盤シャーシ８上に配列された複数の鍵９とを備えている。この場合、複数の鍵９は、複数の白鍵と複数の黒鍵とからなり、これらが鍵盤シャーシ８上に上下方向に回転可能に取り付けられている。
【００２０】
また、この楽器ケース１には、図１〜図３に示すように、鍵盤部７の上方を開閉可能に覆う鍵盤蓋１０がスライド可能に設けられている。この鍵盤蓋１０は、図１に示すように、鍵盤部７の前部側（図１では左側）を覆う前蓋１１と、鍵盤部７の後部側（図１では右側）を覆う後蓋１２とを備えている。この鍵盤蓋１０の蓋開閉装置１３は、図１〜図３に示すように、前蓋１１をガイドする前側蓋ガイド部１４と、後蓋１２をガイドする後側蓋ガイド部１５とを備えている。
【００２１】
前側蓋ガイド部１４は、図１〜図３に示すように、前蓋１１の前端部に設けられた取手部１６と、この取手部１６の両側に設けられた一対の前側支持ピン１７と、楽器ケース１の一対の側板５における各内面に設けられて一対の前支持ピン１７をそれぞれガイドする断面コ字形状の一対の前側ガイドレール１８（図８（ａ）参照）とを備えている。
【００２２】
この場合、一対の前側ガイドレール１８は、図１〜図３に示すように、鍵盤部７の前端部から斜め上方に向けて円弧状に緩やかに湾曲して鍵盤部７の後部上方、つまり天板６の前端部の下側に位置する箇所に亘って設けられ、後述する第１のギアガイド部２７の一部と共通するように構成されている。
【００２３】
これにより、前蓋１１は、鍵盤蓋１０を閉じた際に、図１に示すように、一対の前側支持ピン１７が一対の前側ガイドレール１８の前端部に位置して、鍵盤部７の前部上方に配置され、また鍵盤蓋１０を開く際に、図２に示すように、一対の前側支持ピン１７が一対の前側ガイドレール１８に沿って後方（図２では右側）に移動し、鍵盤蓋１０を開いた際に、図３に示すように、一対の前側支持ピン１７が一対の前側ガイドレール１８の後部（図３ではほぼ中間部）に位置して鍵盤部７の後側上方に移動し、楽器本体１内における天板６の下側に収納されるように構成されている。
【００２４】
後側蓋ガイド部１５は、図１〜図３に示すように、後蓋１２の後端部における両側に設けられた一対の後側支持ピン２０と、楽器ケース１の一対の側板５における各内面に設けられて一対の後側支持ピン２０をそれぞれガイドする断面コ字形状の一対の後側ガイドレール２１（図８（ｂ）参照）とを備えている。この一対の後側ガイドレール２１は、図１に示すように、鍵盤部７の後部における前側ガイドレール１８の後部上方に位置する一対の側板５の内面にそれぞれ設けられている。
【００２５】
すなわち、この一対の後側ガイドレール２１は、図１〜図３に示すように、鍵盤部７の後部上方から斜め上側に向けて緩やかに傾斜して楽器ケース１内の後部に亘って設けられている。この場合、後蓋１２の前端下部には、後側傾斜部１２ａが下向きに設けられており、また前蓋１１の後端上部には、後蓋１２の傾斜部１２ａに対応する前側傾斜部１１ａが上向きに設けられている。
【００２６】
これにより、後蓋１２は、鍵盤蓋１０を閉じた際に、図１に示すように、後側支持ピン２０が一対の後側ガイドレール２１の前端部に位置して後蓋１２の後側傾斜部１２ａが前蓋１１の前側傾斜部１１ａ上に位置した状態で、前蓋１１の後部に前蓋１１と同じ傾斜角度で連続して鍵盤部７の後側上方に配置されるように構成されている。
【００２７】
また、この後蓋１２は、鍵盤蓋１０を開く際に、図２に示すように、後側支持ピン２０が一対の後側ガイドレール２１に沿って後方（図２では右側）に移動すると、後蓋１２の後側傾斜部１２ａが前蓋１１の前側傾斜部１１ａ上を相対的に移動し、前蓋１１上に乗り上げて前蓋１１上を移動するように構成されている。
【００２８】
さらに、この後蓋１２は、鍵盤蓋１０を開いた際に、図３に示すように、前蓋１１の上方に位置した状態で、後側支持ピン２０が一対の後側ガイドレール２１の後端部に位置すると共に、後蓋１２の後側傾斜部１２ａが前蓋１１の取手部１６上に位置して前蓋１１の上側に重なって配置された状態で、楽器ケース１内における天板６の下側に収納されるように構成されている。
【００２９】
また、この鍵盤蓋１０の蓋開閉装置１３は、図１〜図５に示すように、前蓋１１の後部に設けられて楽器ケース１内の後部に向けて屈曲自在に延出された状態で、前蓋１１と共に移動する第１のラックギア２２と、後蓋１２の後部に設けられて楽器ケース１内の後部に向けて屈曲自在に延出された状態で、後蓋１２と共に移動する第２のラックギア２３とを備えている。
【００３０】
この第１、第２の各ラックギア２２、２３は、ポリアミド樹脂（ＰＡ）などの合成樹脂からなり、図１〜図５に示すように、全体が帯状に形成され、任意の位置で自由に屈曲するように構成されている。この場合、第１のラックギア２２は、図４に示すように、その一端部（図４では左端部）が前蓋１１の後端部における両側にそれぞれ側方に突出した状態で取り付けられ、楽器ケース１内の後部に向けて長く延出されている。
【００３１】
また、第２のラックギア２３は、図４に示すように、その一端部（図４では左端部）が後蓋１２の後端部における両側の下部に取り付けられ、楽器ケース１内の後部に向けて長く延出されている。これにより、第１、第２の各ラックギア２２、２３は、図４に示すように、第１のラックギア２２が第２のラックギア２３の外側（図４では上下方向）に離れていることにより、互いに重なり合わないように配置されている。
【００３２】
さらに、この鍵盤蓋１０の蓋開閉装置１３は、図１〜図４に示すように、楽器ケース１内の後部に設けられたシャフト２４と、このシャフト２４に回転自在に設けられて第１、第２の各ラックギア２２、２３が噛み合う第１、第２の各ピニオンギア２５、２６と、第１、第２の各ラックギア２２、２３の各撓み変形を規制しながらそれぞれガイドする第１、第２の各ギアガイド部２７、２８と、を備えている。
【００３３】
シャフト２４は、図１〜図４に示すように、楽器ケース１内における後側上部に位置する箇所における一対の側板５間に架け渡されている。第１、第２の各ピニオンギア２５、２６は、図４および図７に示すように、シャフト２４の両側にそれぞれ軸受２９を介して回転自在に取り付けられている。この第１、第２の各ピニオンギア２５、２６は、ポリアセタール樹脂（ＰＯＭ）などの合成樹脂からなり、その外周に噛合歯２５ａ、２６ａがそれぞれ形成されている。
【００３４】
また、第１、第２の各ラックギア２２、２３は、図５および図８に示すように、その各下面に第１、第２の各ピニオンギア２５、２６の各噛合歯２５ａ、２６ａにそれぞれ噛み合う噛合歯２２ａ、２３ａが連続して形成されている。これにより、第１、第２の各ラックギア２２、２３は、その各噛合歯２２ａ、２３ａの一部が第１、第２の各ピニオンギア２５、２６の各噛合歯２５ａ、２６ａにそれぞれ噛み合いながら、前蓋１１と後蓋１２との各スライド動作に応じてそれぞれ移動するように構成されている。
【００３５】
この場合、第１、第２の各ピニオンギア２５、２６のうち、第１のピニオンギア２５は、図７に示すように、その直径Ｒ１が第２のピニオンギア２６の直径Ｒ２よりも大きく形成されている。すなわち、第１のピニオンギア２５は、前蓋１１に取り付けられた第１のラックギア２２が噛み合って回転する際に、前蓋１１の移動距離が後蓋１２の移動距離よりも長い（約２倍の長さ）であるため、その移動距離の長さに応じて外周が長くなるように、直径Ｒ１が第２のピニオンギア２６の直径Ｒ２よりも２倍程度、大きく形成されている。
【００３６】
同様に、第２のピニオンギア２６は、後蓋１２に取り付けられた第２のラックギア２３が噛み合って回転する際に、後蓋１２の移動距離が前蓋１１の移動距離よりも短い（約半分の長さ）であるため、その移動距離の長さに応じて外周が第１のピニオンギア２５の外周よりも短くなるように、直径Ｒ２が第１のピニオンギア２５の直径Ｒ１よりも１／２程度、小さく形成されている。
【００３７】
一方、第１、第２の各ギアガイド部２７、２８は、図６および図８に示すように、屈曲可能な第１のラックギア２２をそれぞれ移動可能に挟んでガイドする断面コ字形状のガイドレールであり、第１、第２の各ピニオンギア２５、２６に第１、第２の各ラックギア２２、２３をそれぞれ押し付けるように構成されている。
【００３８】
すなわち、第１のギアガイド部２７は、図１〜図３に示すように、前側蓋ガイド部１４の前側ガイドレール１８におけるほぼ中間部から楽器ケース１内の後部に亘る部分が共通してほぼ水平に延び、この延びた後部が楽器ケース１の後板４に沿って第１のピニオンギア２５を経て下側に延び、この延びた下部が底板２に沿って鍵盤部７の鍵盤シャーシ８の後部下側に連続して設けられた構成になっている。
【００３９】
この場合、第１のギアガイド部２７は、図１〜図３に示すように、前側蓋ガイド部１４の前側ガイドレール１８におけるほぼ中間部から後部に亘る箇所が共通部分になっている。また、この第１のギアガイド部２７は、図６（ａ）および図８（ａ）に示すように、第１のピニオンギア２５に対応する箇所に開口部２７ａが設けられ、この開口部２７ａを通して第１のラックギア２２の噛合歯２２ａを第１のピニオンギア２５の噛合歯２５ａに噛み合わせた状態で、第１のラックギア２２を第１のピニオンギア２５の外周面に向けて押し付けるように構成されている。
【００４０】
また、第２のギアガイド部２８は、図１〜図３に示すように、後側蓋ガイド部１５の後側ガイドレール２１の下側に位置した状態で、後側ガイドレール２１に沿って楽器ケース１内の後部上側に亘って後部上がりに傾斜して延び、この延びた後部が楽器ケース１の後板４に沿って第２のピニオンギア２６の下側に亘って連続して設けられた構成になっている。
【００４１】
この第２のギアガイド部２８も、図６（ｂ）および図８（ｂ）に示すように、第２のピニオンギア２６に対応する箇所に開口部２８ａが設けられ、この開口部２８ａを通して第２のラックギア２３の噛合歯２３ａを第２のピニオンギア２６の噛合歯２６ａに噛み合わせた状態で、第２のラックギア２３を第２のピニオンギア２６の外周面に向けて押し付けるように構成されている。
【００４２】
次に、この鍵盤楽器の蓋開閉装置１３の作用について説明する。
まず、鍵盤蓋１０を閉じた場合には、図１に示すように、前蓋１１の前側支持ピン１７が前側ガイドレール１８の前端部に位置すると共に、前蓋１１の後部に設けられた第１のラックギア２２の前端部が前側ガイドレール１８と共通する第１のギアガイド部２７における前部側、つまり前側ガイドレール１８におけるほぼ中間部に位置した状態で、前蓋１１が鍵盤部７の前部上方に配置されている。
【００４３】
また、このときには、後蓋１２の後側支持ピン２０が後側ガイドレール２１の前端部に位置すると共に、後蓋１２の前端部に位置する後側傾斜部１２ａが前蓋１１の前側傾斜部１１ａ上に対応して載置された状態で、後蓋１２が前蓋１１の後部に同じ傾斜角度で連続して鍵盤部７の後部上方に配置されている。これにより、鍵盤部７は、図１に示すように、前蓋１１と後蓋１２とによって覆われる。
【００４４】
この状態で、鍵盤蓋１０を開く際には、図１に示すように、前蓋１１の前端部に設けられた取手部１６を持ち上げながら、前蓋１１を後方（図１では右側）に向けて移動させると、取手部１６の両側に設けられた一対の前側支持ピン１７が一対の前側ガイドレール１８に沿ってそれぞれ後方に向けて移動すると共に、後蓋１２の後端部における両側に設けられた一対の後側支持ピン２４が一対の後側ガイドレール２１に沿ってそれぞれ後方に向けて移動する。
【００４５】
このときには、図１および図２に示すように、前蓋１１の後端部における両側に設けられた一対の第１のラックギア２２が、前蓋１１の移動に伴って前側ガイドレール１８と共通する第１のギアガイド部２７によってガイドされながら楽器ケース１の後方に向けて移動すると共に、後蓋１２の後端部における両側に設けられた一対の第２のラックギア２３が、後蓋１２の移動に伴って第２のギアガイド部２８によってガイドされながら楽器ケース１の後方に向けて移動する。
【００４６】
この場合、第１のラックギア２２は、図８（ａ）に示すように、その噛合歯２２ａがシャフト２４に設けられた第１のピニオンギア２５の噛合歯２５ａに噛み合っているので、図２に示すように、第１のラックギア２５が前蓋１１の移動に伴って第１のピニオンギア２５を回転させながら第１のギアガイド部２７に沿って移動する。
【００４７】
また、第２のラックギア２３は、図８（ｂ）に示すように、その噛合歯２３ａがシャフト２４に設けられた第２のピニオンギア２６の噛合歯２６ａに噛み合っているので、図２に示すように、第２のラックギア２３が後蓋１２の移動に伴って第２のピニオンギア２６を回転させながら第２のギアガイド部２８に沿って移動する。
【００４８】
このとき、第１、第２の各ラックギア２２、２３は、図６（ａ）および図６（ｂ）に示すように、第１、第２の各ギアガイド部２７、２８によって移動可能な状態で挟まれているので、第１、第２の各ラックギア２２、２３が屈曲可能に形成されていても、第１、第２の各ラックギア２２、２３が撓むことなく、第１、第２の各ピニオンギア２５、２６を回転させながら楽器ケース１の後方に向けて移動する。
【００４９】
また、このときには、図８（ａ）および図８（ｂ）に示すように、第１、第２の各ピニオンギア２５、２６に対応してそれぞれ第１、第２の各ギアガイド部２７、２８に設けられえた開口部２７ａ、２８ａを通して第１、第２の各ラックギア２２、２３の各噛合歯２２ａ、２３ａが第１、第２の各ピニオンギア２５、２６の各噛合歯２５ａ、２６ａに噛み合った状態で、第１、第２の各ラックギア２２、２３が第１、第２の各ピニオンギア２５、２６の各噛合歯２５ａ、２６ａに向けて押し付けられている。
【００５０】
このため、前蓋１１と後蓋１２とがそれぞれ移動して、第１、第２の各ラックギア２２、２３がそれぞれ第１、第２の各ギアガイド部２７、２８に沿って移動すると、この第１、第２の各ラックギア２２、２３の移動に伴って第１、第２の各ピニオンギア２５、２６がそれぞれ回転する。この場合、第１、第２の各ピニオンギア２５、２６は、一体的に連動して回転するため、第１、第２の各ピニオンギア２５、２６の一方が回転すると、これと同時に他方も回転する。
【００５１】
このときには、第１、第２の各ピニオンギア２５、２６のうち、第１のピニオンギア２５の直径Ｒ１が第２のピニオンギア２６の直径Ｒ２よりも２倍程度、大きく形成されている。このため、第１、第２の各ピニオンギア２５、２６が一体的に回転することにより、第１、第２の各ピニオンギア２５、２６の回転数が同じあっても、第１のピニオンギア２５に噛み合って移動する第１のラックギア２２の移動距離は、第２のピニオンギア２６に噛み合って移動する第２のラックギア２３の移動距離の約２倍になる。
【００５２】
これにより、図１に示す状態で、前蓋１１と後蓋１２とが楽器ケース１の後側に向けて移動する際に、第１のピニオンギア２５の直径Ｒ１が第２のピニオンギア２６の直径Ｒ２よりも大きいため、前蓋１１の移動速度が後蓋１２の移動速度よりも速い。このため、前蓋１１が後方に向けて移動すると、図２に示すように、後蓋１２の前端部が前蓋１１の上面に乗り上げながら後方に移動する。
【００５３】
そして、前蓋１１と後蓋１２とが楽器ケース１の後側に向けて更に移動すると、図３に示すように、前蓋１１は、その前端部の前側支持ピン１７が前側ガイドレール１８の後部に移動すると共に、前蓋１１の後部が第１のラックギア２２をガイドする第１のギアガイド部２７の後側上部に移動して、鍵盤部７の後側上方に位置する天板６の下側における楽器ケース１内に収納されている。
【００５４】
このときには、図３に示すように、後蓋１２は、後側支持ピン２０が後側ガイドレール２１の後端部に移動すると共に、後蓋１２の前端部が前蓋１１の上面を移動して前蓋１１の取手部１６上に位置し、前蓋１１上に重なった状態で、鍵盤部７の後側上方に位置する天板６の下側における楽器ケース１内に収納されている。
【００５５】
すなわち、第１のピニオンギア２５の直径Ｒ１が第２のピニオンギア２６の直径Ｒ２よりも２倍程度大きく、前蓋１１の移動速度が後蓋１２の移動速度よりも２倍程度速いので、前蓋１１の移動距離が後蓋１２の移動距離の２倍程度に長くても、前蓋１１と後蓋１２とをほぼ同じタイミングで天板６の下側における楽器ケース１内に収納することができ、鍵盤部７を良好に露出させることができる。なお、鍵盤蓋１３を閉じる場合には、上述した動作の逆の動作を行う。
【００５６】
このように、この鍵盤楽器の蓋開閉装置１３によれば、鍵盤蓋１０を構成する前蓋１１と後蓋１２との各後部から楽器ケース１内の後部に向けてそれぞれ延出され、鍵盤蓋１０の開閉動作に応じてそれぞれ屈曲自在に移動する第１、第２の各ラックギア２２、２３と、楽器ケース１内の後部にそれぞれ回転自在に設けられて第１、第２の各ラックギア２２、２３にそれぞれ噛み合って回転する第１、第２の各ピニオンギア２５、２６とを備えた構成であるから、第１、第２の各ピニオンギア２５、２６およびこの第１、第２の各ピニオンギア２５、２６を回転自在に支持するシャフト２４を楽器ケース１内に設けても、第１、第２の各ピニオンギア２５、２６およびシャフト２４が鍵盤蓋１０のスライド動作に連動して移動することがないため、楽器ケース１内の空間を広く利用することができる。
【００５７】
すなわち、この鍵盤楽器の蓋開閉装置１３では、前蓋１１と後蓋１２とをそれぞれスライドさせて開閉する際に、前蓋１１と後蓋１２との各スライド動作に伴って第１、第２の各ラックギア２２、２３が第１、第２の各ピニオンギア２５、２６に噛み合って第１、第２の各ピニオンギア２５、２６を回転させながら移動するので、第１、第２の各ピニオンギア２５、２６が楽器ケース１内を移動することがなく、第１、第２の各ピニオンギア２５、２６が第１、第２の各ラックギア２２、２３に噛み合って所定位置で回転することにより、鍵盤蓋１０を円滑に且つ良好に開閉させることができる。
【００５８】
このため、第１、第２の各ピニオンギア２５、２６を支持する１本のシャフト２４が前蓋１１と後蓋１２との各スライド動作に伴って楽器ケース１内を移動することがないので、楽器ケース１内の空間を広く利用することができる。これにより、スピーカ（図示せず）などの他の部品を楽器ケース１内に良好に組み込むことができるので、楽器ケース１内を有効に利用して楽器ケース１内の実装密度を高めることができる。
【００５９】
また、この鍵盤楽器の蓋開閉装置１３によれば、楽器ケース１内にそれぞれ設けられて前蓋１１と後蓋１２とをそれぞれ開閉動作に応じてガイドし、鍵盤蓋１０が閉じた際に前蓋１１と後蓋１２とを鍵盤部７の上方に平面的に配置させ、また鍵盤蓋１０が開いた際に前蓋１１と後蓋１２とを上下に重なるように楽器ケース１内に収納するための前側蓋ガイド部１４と後側蓋ガイド部１５とを備えていることにより、鍵盤蓋１０を開閉する際に前蓋１１と後蓋１２とを確実に且つ良好にガイドして、鍵盤部７を良好に覆うことができると共に、楽器ケース１内にコンパクトにすることができる。
【００６０】
また、この鍵盤楽器の蓋開閉装置１３によれば、第１、第２の各ラックギア２２、２３を前蓋１１と後蓋１２との開閉動作に応じてそれぞれガイドすると共に、第１、第２の各ピニオンギア２５、２６にそれぞれ押し付けて噛み合わせる第１、第２の各ギアガイド部２７、２８を備えていることにより、第１、第２の各ラックギア２２、２３が屈曲可能に構成されていても、第１、第２の各ラックギア２２、２３が撓むことがなく、確実に且つ良好に第１、第２の各ラックギア２２、２３をそれぞれガイドして移動させることができると共に、第１、第２の各ピニオンギア２５、２６にそれぞれ確実に噛み合わせることができる。
【００６１】
この場合、第１、第２の各ピニオンギア２５、２６は、その各直径Ｒ１、Ｒ２が前蓋１１と後蓋１２との各移動距離に応じてそれぞれ異なっていることにより、第１、第２の各ピニオンギア２５、２６を同じ回転数で回転させると、前蓋１１と後蓋１２との移動速度を変えることができ、このため前蓋１１と後蓋１２との各移動距離が異なっていても、前蓋１１と後蓋１２とを同じタイミングで、鍵盤部７の上方に平面的に配置することができると共に、楽器ケース１内に収納することができる。
【００６２】
すなわち、前蓋１１は、その移動距離が後蓋１２の移動距離の２倍程度であるため、第１のピニオンギア２５は、その直径Ｒ１が第２のピニオンギア２６の直径Ｒ２よりも２倍程度の大きく形成されていることにより、第１、第２の各ピニオンギア２５、２６の回転数が同じあっても、第１のピニオンギア２５に噛み合って移動する第１のラックギア２２の移動距離を、第２のピニオンギア２６に噛み合って移動する第２のラックギア２３の移動距離の約２倍にすることができる。
【００６３】
これにより、前蓋１１と後蓋１２とがスライドする際には、前蓋１１の移動速度を後蓋１２の移動速度よりも速くして、前蓋１１の移動距離を後蓋１２の移動距離よりも長くすることができる。これにより、前蓋１１と後蓋１２とを閉じた際に、同じタイミングで鍵盤部７の上方に平面的に配置することができると共に、前蓋１１と後蓋１２とを開いた際に、同じタイミングで前蓋１１と後蓋１２とを重ねた状態で楽器ケース１内に良好に収納することができる。
【００６４】
この場合、第１、第２の各ピニオンギア２５、２６は、全て一体的に連動して回転することにより、前蓋１１を移動させて第１のラックギア２２が移動し、この第１のラックギア２２に噛み合って第１のピニオンギア２５が回転すると、この第１のピニオンギア２５と共に第２のピニオンギア２６も回転するので、この第２のピニオンギア２６に噛み合って第２のラックギア２３が移動し、後蓋１２を前蓋１１に連動させて移動させることができる。
【００６５】
このため、前蓋１１のみを開閉動作させることにより、後蓋１２を前蓋１１に連動させて開閉動作させることができるので、鍵盤蓋１０の開閉動作が容易にでき、鍵盤蓋１０の開閉操作性の良いものを提供することができるほか、第１、第２の各ピニオンギア２５、２６の各直径Ｒ１、Ｒ２が前蓋１１と後蓋１２との各移動距離に応じてそれぞれ異なっていることにより、前蓋１１と後蓋１２との各移動速度を変えることができるので、前蓋１１と後蓋１２との各移動距離が異なっていても、前蓋１１と後蓋１２とを同じタイミングで、鍵盤部７の上方に平面的に配置することができると共に、前蓋１１と後蓋１２とを重ねた状態で楽器ケース１内に良好に収納することができる。
【００６６】
なお、上述した実施形態では、第１、第２の各ピニオンギア２５、２６を全て一体的に連動させて回転させるように構成した場合について述べたが、必ずしも第１、第２の各ピニオンギア２５、２６を一体的に連動させて回転させるように構成する必要はなく、第１、第２の各ピニオンギア２５、２６がそれぞれ独立して別々に回転するように構成しても良い。このように構成すれば、前蓋１１と後蓋１２とが連動しないため、別々に開閉動作させれば良い。
【００６７】
また、上述した実施形態では、鍵盤蓋１０を前蓋１１と後蓋１２との２つに分割した場合について述べたが、これに限らず、鍵盤蓋を３つ以上の蓋部に分割しても良い。この場合には、３つ以上の各蓋部にそれぞれ複数のラックギアを取り付けると共に、この複数のラックギアにそれぞれ噛み合って回転する複数のピニオンギアを楽器ケース１内に設けるほか、複数の蓋部をそれぞれガイドする複数の蓋ガイド部および複数のラックギアをガイドする複数のギアガイド部をそれぞれ楽器ケース１内に設ければ良い。
【符号の説明】
【００６８】
１  楽器ケース
７  鍵盤部
１０  鍵盤蓋
１３  蓋開閉装置
１４  前側蓋ガイド部
１５  後側蓋ガイド部
１７  前側支持ピン
１８  前側ガイドレール
２０  後側支持ピン
２１  後側ガイドレール
２２、２３  第１、第２の各ラックギア
２２ａ、２３ａ  噛合歯
２４  シャフト
２５、２６  第１、第２の各ピニオンギア
２５ａ、２６ａ  噛合歯
２７、２８  第１、第２の各ギアガイド部
２７ａ、２８ａ  開口部
【図１】
0005561651.tif 000002
【図２】
0005561651.tif 000003
【図３】
0005561651.tif 000004
【図４】
0005561651.tif 000005
【図５】
0005561651.tif 000006
【図６】
0005561651.tif 000007
【図７】
0005561651.tif 000008
【図８】
0005561651.tif 000009